(57)【要約】【課題】  製版データ画像化装置に依存しないオーバープリントの製版処理が可能な製版データを作成する方法および装置を提供することである。【解決手段】オーバープリントを構成するオブジェクトに対して、オブジェクトから、オーバープリントしている領域を分離して、新たなオブジェクトを作成するオブジェクト分離手段と、オブジェクトから、オーバープリントしている領域を分離した残りを、当初のオブジェクトから更新するオブジェクト更新手段と、この分離したオブジェクトに、オーバープリントしているオブジェクトの色情報を加えるオブジェクト色情報加工手段と、を備えることを特徴とするオーバープリント製版データ作成装置である。【選択図】図１
2006108967.tif 000002
【特許請求の範囲】
【請求項１】
製版データを構成するオブジェクトが重なったオーバープリントであるオブジェクトを判定するオーバープリント判定手段と、
第1の色帯オブジェクトから、第2の色帯オブジェクトがオーバープリントしている領域を分離した、第3の色帯オブジェクトを作成する色帯オブジェクト分離手段と、
この分離した第3の色帯オブジェクトに、オーバープリントしている第2の色帯オブジェクトの色情報を加える色帯オブジェクト色情報加工手段と、
第1の色帯オブジェクトから、第3の色帯オブジェクトを分離した残りを、新たな第1の色帯オブジェクトとして更新する色帯オブジェクト更新手段と、
第1の画像オブジェクトから、色帯オブジェクトがオーバープリントしている領域を分離した、第2の画像オブジェクトを作成する画像オブジェクト分離手段と、
分離した前記第2の画像オブジェクトの色情報に、第1の画像オブジェクトにオーバープリントしている前記色帯オブジェクトの色情報を加える画像オブジェクト色情報加工手段と、
第1の画像オブジェクトから、第２の画像オブジェクトを分離した残りを、新たな第1の画像オブジェクトとして更新する画像オブジェクト更新手段と、
色帯オブジェクトから、オーバープリントしている文字オブジェクトのフォントパターン形状を除去した文字抜き色帯オブジェクトを作成する文字抜き色帯オブジェクト作成手段と、
前記文字オブジェクトのフォントの色情報に、文字オブジェクトにオーバープリントしている前記色帯オブジェクトの色情報を加える文字オブジェクト色情報加工手段と、
を備えることを特徴とするオーバープリント製版データ作成装置。
【請求項２】
製版データを構成するオブジェクトが、重なってオーバープリントになるオブジェクトを判定するオーバープリント判定ステップと、
第1の色帯オブジェクトに、第2の色帯オブジェクトがオーバープリントしている領域を、第1の色帯オブジェクトから分離して、第3の色帯オブジェクトを作成する色帯オブジェクト分離ステップと、
この分離した第3の色帯オブジェクトに、オーバープリントしている第2の色帯オブジェクトの色情報を加える色帯オブジェクト色情報加工ステップと
第1の色帯オブジェクトから、第3の色帯オブジェクトを分離した残りを、新たな第1の色帯オブジェクトとして更新する色帯オブジェクト更新ステップと、
第1の画像オブジェクトに、色帯オブジェクトがオーバープリントしている領域を、第1の画像オブジェクトから分離して、第2の画像オブジェクトを作成する画像オブジェクト分離ステップと、
分離した前記第2の画像オブジェクトの色情報に、第1の画像オブジェクトにオーバープリントしている前記色帯オブジェクトの色情報を加える画像オブジェクト色情報加工ステップと、
第1の画像オブジェクトから、第２の画像オブジェクトを分離した残りを、新たな第1の画像オブジェクトとして更新する画像オブジェクト更新ステップと、
色帯オブジェクトから、オーバープリントしている文字オブジェクトのフォントパターン形状を除去した文字抜き色帯オブジェクトを作成する文字抜き色帯オブジェクト作成ステップと、
前記文字オブジェクトのフォントの色情報に、文字オブジェクトにオーバープリントしている前記色帯オブジェクトの色情報を加える文字オブジェクト色情報加工ステップと、
を含んだ手順でなされることを特徴とするオーバープリント製版データ作成方法。
【請求項３】
請求項１に記載の発明は、コンピュータに組込むことによって、コンピュータを請求項１に記載のオーバープリント製版データ作成装置として動作させるコンピュータプログラム。
【発明の詳細な説明】
【技術分野】
【０００１】
本発明は、印刷物を作成する製版工程で作成するオーバープリントの製版データ作成方法に関するものである。
【背景技術】
【０００２】
写真画像や色帯や文字などの製版を構成する部品（オブジェクト）をデジタル製版するときに、オブジェクトを重ねて印刷するオーバープリントでは、各オブジェクトの色情報をお互いに重ね合わせることで、所望の印刷を実現できる。
【０００３】
たとえば、特許文献１には、軟包装グラビア製版のオーバープリント製版処理装置を提供する技術が開示されている。この技術は、複数のオブジェクトが重なり領域を持つ場合に、オブジェクトの色の重ね方を決める重なり領域性質情報と、オブジェクトの重なり順番を決める順位情報を各オブジェクトの属性情報として持たせることで、重なり領域の色情報を算出しようとするものである。
【特許文献１】特開平８−１０２８４５号公報（４〜１３頁、図７〜２０）
【発明の開示】
【発明が解決しようとする課題】
【０００４】
しかし、特許文献１のように、前述した従来の製版処理におけるオーバープリントは、製版データ画像化装置（ＲＩＰ）の処理方法に依存していたために、製版データを、ＲＩＰで処理させる時には、ＲＩＰに応じた製版データを作成準備しなければならないという問題があった。
【０００５】
本発明の課題は、このような従来技術を考慮してなされたものであって、ＲＩＰに依存しないオーバープリントの製版処理が可能な製版データを作成する方法および装置を提供することである。
【課題を解決するための手段】
【０００６】
本発明は、以下のような解決手段により、前記課題を解決する。すなわち、請求項１に記載の発明は、製版データを構成するオブジェクトが重なったオーバープリントであるオブジェクトを判定するオーバープリント判定手段と、第1の色帯オブジェクトから、第2の色帯オブジェクトがオーバープリントしている領域を分離した、第3の色帯オブジェクトを作成する色帯オブジェクト分離手段と、この分離した第3の色帯オブジェクトに、オーバープリントしている第2の色帯オブジェクトの色情報を加える色帯オブジェクト色情報加工手段と、第1の色帯オブジェクトから、第3の色帯オブジェクトを分離した残りを、新たな第1の色帯オブジェクトとして更新する色帯オブジェクト更新手段と、第1の画像オブジェクトから、色帯オブジェクトがオーバープリントしている領域を分離した、第2の画像オブジェクトを作成する画像オブジェクト分離手段と、分離した前記第2の画像オブジェクトの色情報に、第1の画像オブジェクトにオーバープリントしている前記色帯オブジェクトの色情報を加える画像オブジェクト色情報加工手段と、第1の画像オブジェクトから、第２の画像オブジェクトを分離した残りを、新たな第1の画像オブジェクトとして更新する画像オブジェクト更新手段と、色帯オブジェクトから、オーバープリントしている文字オブジェクトのフォントパターン形状を除去した文字抜き色帯オブジェクトを作成する文字抜き色帯オブジェクト作成手段と、前記文字オブジェクトのフォントの色情報に、文字オブジェクトにオーバープリントしている前記色帯オブジェクトの色情報を加える文字オブジェクト色情報加工手段と、を備えることを特徴とするオーバープリント製版データ作成装置である。
【０００７】
請求項２に記載の発明は、製版データを構成するオブジェクトが、重なってオーバープリントになるオブジェクトを判定するオーバープリント判定ステップと、第1の色帯オブジェクトに、第2の色帯オブジェクトがオーバープリントしている領域を、第1の色帯オブジェクトから分離して、第3の色帯オブジェクトを作成する色帯オブジェクト分離ステップと、この分離した第3の色帯オブジェクトに、オーバープリントしている第2の色帯オブジェクトの色情報を加える色帯オブジェクト色情報加工ステップと、第1の色帯オブジェクトから、第3の色帯オブジェクトを分離した残りを、新たな第1の色帯オブジェクトとして更新する色帯オブジェクト更新ステップと、第1の画像オブジェクトに、色帯オブジェクトがオーバープリントしている領域を、第1の画像オブジェクトから分離して、第2の画像オブジェクトを作成する画像オブジェクト分離ステップと、分離した前記第2の画像オブジェクトの色情報に、第1の画像オブジェクトにオーバープリントしている前記色帯オブジェクトの色情報を加える画像オブジェクト色情報加工ステップと、第1の画像オブジェクトから、第２の画像オブジェクトを分離した残りを、新たな第1の画像オブジェクトとして更新する画像オブジェクト更新ステップと、色帯オブジェクトから、オーバープリントしている文字オブジェクトのフォントパターン形状を除去した文字抜き色帯オブジェクトを作成する文字抜き色帯オブジェクト作成ステップと、前記文字オブジェクトのフォントの色情報に、文字オブジェクトにオーバープリントしている前記色帯オブジェクトの色情報を加える文字オブジェクト色情報加工ステップと、を含んだ手順でなされることを特徴とするオーバープリント製版データ作成方法である。
【０００８】
請求項３に記載の発明は、コンピュータに組込むことによって、コンピュータを請求項１に記載のオーバープリント製版データ作成装置として動作させるコンピュータプログラムである。
【発明の効果】
【０００９】
本願発明によれば、ＲＩＰの処理方法に依存せずに、オーバープリント製版処理を行えるので、ＲＩＰが変更になっても、オーバープリント製版処理の出力結果の検証が不要となると同時に、ＲＩＰに応じた製版データを作成する必要がなくなったので、製版データ作成の能率が向上する。また、製版データは、ＲＩＰに依存しないので、一元管理が可能となり、製版データの管理が容易になる。
【発明を実施するための最良の形態】
【００１０】
以下、図面等を参照しながら、本発明の実施の形態について、更に詳しく説明する。図１は、本発明によるオーバープリント製版データ処理装置構成図である。オーバープリント製版データ作成装置１０は、オーバープリント判定手段１１と、色帯オブジェクト分離手段１２と、色帯オブジェクト色情報加工手段１３と、色帯オブジェクト更新手段１４と、画像オブジェクト分離手段１５と、画像オブジェクト色情報加工手段１６と、画像オブジェクト更新手段１７と、文字抜き色帯オブジェクト作成手段１８と、文字オブジェクト色情報加工手段１９と、記憶手段１０１を備える。記憶手段１０１は、製版データファイル１０１ａと、オブジェクト分割データファイル１０１ｂと、を記憶する。製版データファイル１０１ａは、製版データ作成装置１０２（たとでば、ＤＴＰ装置）が作成する。オブジェクト分割データファイル１０１ｂは、製版データ画像化装置（ＲＩＰ）１０３の入力データになる。
【００１１】
図２は、ＤＴＰ製版データの説明図である。製版データ２０は、画像オブジェクト２１と、色帯オブジェクト２２と、文字オブジェクト２３と、管理オブジェクト２４その他で構成される。画像オブジェクト２１は、“画像ＩＤ”、“位置座標”、“画像データ”２１ａ、“画像トリミング枠”２１ｂなどで、構成される。“トリミング枠”２１ｂは、画像データから画像を切だす形状と大きさを規定する。色帯オブジェクト２２は、“色帯ＩＤ”は、“位置座標”、“色”２２ａ、“トリミング枠”２１ｂ、“色帯パターン”２２ｃなどで、構成される。“色”２２ａは、色帯の色情報を規定する。“色帯トリミング枠”２２ｂは、色帯の形状を規定する。後述する文字抜き色帯オブジェクトを作成する時には、該当する文字オブジェクト２３の“文字ＩＤ”２３ｂを指定することで、所望の文字列の文字抜きをおこなう。“色帯パターン”２２ｃは、色帯の柄パターンを規定する。文字オブジェクト２３は、 “文字ＩＤ” ２３ｂ、“位置座標”、“フォント種”、“文字サイズ”、“文字色”２３ａ、 “文字列”などで、構成される。“文字色”２３ａは、文字の色情報を規定する。管理オブジェクト２４は、“管理ＩＤ”、“製版サイズ”、“仕上りサイズ”、“原点座標”、“トンボ位置”などで、構成される。なお、オブジェクト分割データファイル１０１ｂの構造も、製版データ２０と同じである。
【００１２】
図３は、本発明による製版データオーバープリント処理のフローチャートである。
（０）製版データオーバープリント処理を開始して、製版データ１０１ａを読み込む。（    ステップＳ３０）
（１）オーバープリント判定手段１１は、製版データ１０１ａを構成するオブジェクトが    重なったオーバープリントになるオブジェクトを抽出する。
（２）オーバープリントしたオブジェクトの組合せを判定する。（ステップＳ３２）オー    バープリントしたオブジェクトの組合せが、色帯オブジェクト２２のみであれば、次    のステップに進む。オーバープリントしたオブジェクトの組合せが、色帯オブジェク    ト２２とその他のタイプのオブジェクトと組合せであれば、（６）に進む。
（３）色帯オブジェクト分離手段１２は、第１の色帯オブジェクト２２から、第２の色帯    オブジェクト２２がオーバープリントしている領域を分離した、第３の色帯オブジェ    クト２１を作成する。（ステップＳ３２ａ）
（４）色帯オブジェクト色情報加工手段１３は、この分離した第３の色帯オブジェクト２    ２の“色”情報２２ａに、オーバープリントしている第２の色帯オブジェクト２２の    “色”情報２２ａを加える。 （ステップＳ３２ｂ）
（５）色帯オブジェクト更新手段１４は、第３の色帯オブジェクト２１を、第１の色帯オ    ブジェクト２２の“色帯トリミング枠”２２ｂに設定して、新たな第１の色帯オブジ    ェクト２２として更新する。 同様に、第３の色帯オブジェクト２１を、第２の色帯    オブジェクト２２の“色帯トリミング枠”２２ｂに設定して、新たな第２の色帯オブ    ジェクト２２として更新する。（ステップＳ３２ｃ）（１３）に進む。
（６）オーバープリントしたオブジェクトの組合せが、色帯オブジェクト２２と画像オブ    ジェクト２１と組合せであれば、次のステップに進む。そうでなければ、（９）に進    む。
（７）画像オブジェクト分離手段１５は、色帯オブジェクト２２がオーバープリントして    いる領域を、第１の画像オブジェクト２１の“トリミング枠”２１ｂにして、分離し    た、第２の画像オブジェクト２１を作成する。 （ステップＳ３３ａ）
（８）画像オブジェクト色情報加工手段１６は、前記分離した第２の画像オブジェクト２    １の“画像データ”２１ａに、前記色帯オブジェクトの“色”２２ａの情報を加える    。 （ステップＳ３３ｂ）
（９）画像オブジェクト更新手段１７は、オーバープリントしている領域を、第１の画像    オブジェクト２１の“画像トリミング枠”２１ｂに設定して、新たな第１の画像オブ    ジェクト２１として更新する。 （ステップＳ３３ｃ）（１３）に進む。
（１０）オーバープリントしたオブジェクトの組合せが、色帯オブジェクト２２と文字オ    ブジェクト２１と組合せであれば、次のステップに進む。そうでなければ、（１）に    進む。
（１１）文字抜き色帯オブジェクト作成手段１８は、色帯オブジェクト２２から、オーバ    ープリントしている文字オブジェクト２３を“トリミング枠”２１ｂに指定すること    で、所望の文字列を除去した文字抜き色帯オブジェクトを作成する。 （ステップＳ    ３４ａ）
（１２）文字オブジェクト色情報加工手段１９は、前記文字オブジェクト２３のフォント    の“文字色”情報２３ａに、にオーバープリントしている前記色帯オブジェクト２２    の“色”情報２２ａを加える。 （ステップＳ３４ｂ）
（１３）オーバープリントしているオブジェクトがまだ、残っているか判定する。（ステ    ップＳ３５）残っていれば、（１）に進む。残っていなければ、次に進む。
（１４）オブジェクト分割ファイル１０１ｂを作成して、オーバープリント処理を終了す    る。（ステップＳ３６）
【００１３】
図４は、本発明による文字オブジェクト４３ａと色帯オブジェクト４１の製版データオーバープリント処理の説明図である。図３のフローチャートにおける、文字オブジェクトのオーバープリント処理の説明図である。オーバープリントしたオブジェクト４１は、色帯オブジェクト４２ａと文字オブジェクトと４３ａをオーバープリントしたオブジェクトである。ここで、文字抜き色帯オブジェクト作成手段１８は、色帯オブジェクト４２ａから、オーバープリントしている文字オブジェクトをトリミング枠２２ｂに指定して、文字抜き色帯オブジェクト４２ｂを作成する。文字オブジェクト色情報加工手段１９は、文字オブジェクト４３ａの“文字色”２３ａに、オーバープリントしている前記色帯オブジェクト４２ｂの“色”情報２２ａを加えて、色帯の色情報を加えた文字オブジェクト４３ｂを作成する。
【００１４】
図５は、本発明による画像オブジェクト５１と色帯オブジェクト５３の製版データオーバープリント処理の説明図である。図３のフローチャートにおける、画像オブジェクトのオーバープリント処理の説明図である。オーバープリントしたオブジェクト５３は、色帯オブジェクト５２と画像オブジェクトと５１をオーバープリントしたオブジェクトである。ここで、画像オブジェクト分離手段１５は、画像オブジェクト５１から、色帯オブジェクト５２がオーバープリントしている領域を分離した、第２の画像オブジェクト５５ａを作成する。画像オブジェクト色情報加工手段１６は、分離した前記第２の画像オブジェクト５５ａの“画像データ”２１ａに、前記色帯オブジェクト５２の“色”情報２２ａを加えた画像オブジェクト５５を作成する。 画像オブジェクト更新手段１７は、画像オブジェクト５１から、第２の画像オブジェクトを分離した残りを、新たな第１の画像オブジェクト５４とする。
【００１５】
図６は、本発明による複数の色帯オブジェクトの製版データオーバープリント処理の説明図である。図３のフローチャートにおける、色帯オブジェクトのみのオーバープリント処理の説明図である。オーバープリントしたオブジェクト６０ａは、色帯オブジェクト６１と色帯オブジェクトと６２をオーバープリントしたオブジェクトである。色帯オブジェクト分離手段１２は、第１の色帯オブジェクト６１から、オーバープリントしている領域を分離して、第３の色帯オブジェクト６１ｂを作成する。色帯オブジェクト色情報加工手段１３は、この分離した第３の色帯オブジェクト６１ｃの“色” 情報２２ａに、オーバープリントしている第２の色帯オブジェクト６２の“色” 情報２２ａを加えて、分離した第３の色帯オブジェクト６４を作成する。色帯オブジェクト更新手段１４は、第１の色帯オブジェクトから、第３の色帯オブジェクトを分離した残りを、新たな第１の色帯オブジェクト６１ｃとして更新して、同時に、第２の色帯オブジェクトから、第３の色帯オブジェクトを分離した残りを、新たな第２の色帯オブジェクト６２ｃとして更新する。
【００１６】
以上詳しく説明したように、本願発明によれば、ＲＩＰに依存せずに、オーバープリント製版処理を行えるので、ＲＩＰが変更になっても、オーバープリント製版処理の出力結果の検証が不要となると同時に、ＲＩＰに応じた製版データを作成する必要がなくなったので、製版データ作成の能率が向上した。また、製版データは、ＲＩＰに依存しないので、一元管理が可能となり、容易な製版データの管理が実現できた。
【図面の簡単な説明】
【００１７】
【図１】本発明によるオーバープリント製版データ処理装置構成図。
【図２】ＤＴＰ製版データの説明図。
【図３】本発明による製版データオーバープリント処理のフローチャート。
【図４】本発明による文字オブジェクトと色帯オブジェクトの製版データオーバープリント処理の説明図。
【図５】本発明による画像オブジェクトと色帯オブジェクトの製版データオーバープリント処理の説明図。
【図６】本発明による複数の色帯オブジェクトの製版データオーバープリント処理の説明図。
【符号の説明】
【００１８】
１０  オーバープリント製版データ作成装置
１１  オーバープリント判定手段
１２  色帯オブジェクト分離手段
１３  色帯オブジェクト色情報加工手段
１４  色帯オブジェクト更新手段
１５  画像オブジェクト分離手段
１６  画像オブジェクト色情報加工手段
１７  画像オブジェクト更新手段
１８  文字抜き色帯オブジェクト作成手段
１９  文字オブジェクト色情報加工手段
１０１  記憶手段
１０１ａ  製版データファイル
１０１ｂ  オブジェクト分割データファイル
１０２  製版データ作成装置（たとえば、ＤＴＰ装置）
１０３  製版データ画像化装置（ＲＩＰ）
２０  製版データ
２１  画像オブジェクト
２１ｂ  トリミング枠”
２２  色帯オブジェクト
２２ａ  色
２２ｂ  トリミング枠
２２ｃ  色帯パターン
２３  文字オブジェクト
２３ａ  文字色
２３ｂ  文字ＩＤ
２４  管理オブジェクト
４２ｂ  文字抜き色帯オブジェクト
４３ｂ  色帯の色情報を加えた文字オブジェクト
５３ａ  画像オブジェクト
５２ａ  色帯オブジェクト
５３ｃ  第２の画像オブジェクト
６１  第１の色帯オブジェクト
６２  第２の色帯オブジェクト
６４  第３の色帯オブジェクト
【図１】
2006108967.tif 000003
【図２】
2006108967.tif 000004
【図３】
2006108967.tif 000005
【図４】
2006108967.tif 000006
【図５】
2006108967.tif 000007
【図６】
2006108967.tif 000008